(57)【要約】  【課題】本発明は、はがき等のシート上に表示された秘匿情報を隠蔽させて配送させるための隠蔽ラベルに関し、ラベル貼付後の剥離に際して必要以上のゴミ発生を防止し、コスト増加を抑制することを目的とする。  【解決手段】所定のシートに表示された秘匿情報上に隠蔽のために貼付され、後に当該シートより剥離されて当該秘匿情報を視認可能とする隠蔽ラベル１１であり、ラベル基材１２の所定位置に剥離時にエアを吹き込むための剥離補助孔１３を備え、当該ラベル基材１２の接着剤１６が塗布される裏面において剥離補助孔１４の周辺を、少なくとも接着剤１６による接着力より小の剥離補助領域１５として、接着剤が塗布されない領域とする構成とする。  【選択図】  図１
2006346996.tif 000002
【特許請求の範囲】
【請求項１】
ラベル基材裏面の所定領域に接着剤が塗布されるものであり、所定のシートに表示された秘匿情報上に隠蔽のために貼付され、後に当該シートより剥離されて当該秘匿情報を視認可能とする隠蔽ラベルであって、
前記ラベル基材の所定位置に、前記剥離時にエアを吹き込むための剥離補助孔を備え、
前記ラベル基材の裏面において前記剥離補助孔の少なくとも周辺の全部または一部を、少なくとも前記接着剤による接着力より小の剥離補助領域とすることを特徴とする隠蔽ラベル。
【請求項２】
請求項１記載の隠蔽ラベルであって、前記剥離補助孔は、貼付対象の前記シートの秘匿情報上への貼付に際して、当該秘匿情報以外の部分に位置されるべく形成されることを特徴とする隠蔽ラベル。
【請求項３】
請求項１または２記載の隠蔽ラベルであって、前記ラベル基材の所定位置に、前記剥離補助孔より小のエア抜き孔を所定数備え、当該ラベル基材の裏面において当該エア抜き孔と当該剥離補助孔との間を、少なくとも前記接着剤による接着力より小の剥離補助領域とすることを特徴とする隠蔽ラベル。
【発明の詳細な説明】
【技術分野】
【０００１】
本発明は、ハガキ等のシート上に表示された秘匿情報を隠蔽させて配送させるための隠蔽ラベルに関する。
【背景技術】
【０００２】
近年、例えば返送用のハガキに顧客等に関する秘匿情報を記載、表示させ、当該秘匿情報上に隠蔽ラベルを貼付させることによって隠蔽状態で郵送等の配送手段で配送させることが行われている。これは、封書による配送に比して配送コストの削減を図ることができることから、普及拡大している。このような隠蔽ラベルが貼付されたハガキ等の配送シートを受け取った場合、当該隠蔽ラベルを剥離させる必要があり、剥離作業効率の向上が望まれると共に、後に廃棄される隠蔽ラベルに対する剥離に関連する部材の減少化が必要となる。
【０００３】
従来、多数の返送用のハガキに貼付されている隠蔽ラベルは、人的作業によって剥離されていたが、費用や効率の面から機械的に剥離する装置等が、例えば、下記の特許文献において提案されている。
【０００４】
【特許文献１】特開２００３−１３６８６３号公報
【０００５】
この特許文献には、ハガキ本体に隠蔽ラベルが貼付された隠蔽ラベル付きハガキをハガキ搬送手段により搬送すると共に、裏面に感圧性接着剤が塗布された剥離用テープをテープ供給手段により供給することにより、当該剥離用テープをテープ圧着手段で当該隠蔽ラベルに圧着し、隠蔽ラベル剥離手段によって隠蔽ラベル付きハガキから剥離用テープと隠蔽ラベルとを同時に剥離することが開示されている（同文献、図５参照）。
【発明の開示】
【発明が解決しようとする課題】
【０００６】
上記特許文献に開示されている隠蔽ラベル剥離装置は、隠蔽ラベルの剥離を従前の手作業より機械化することで作業効率が向上されるものであるが、当該隠蔽ラベルの剥離に際して剥離用テープを使用する構成となっている。すなわち、剥離対象の隠蔽ラベルは元々廃棄されるものであり、廃棄に際して使用した剥離用テープにおいても共に廃棄されることとなって必要以上のゴミの発生を招くという問題がある。
【０００７】
仮に、当該剥離用テープより剥離した隠蔽ラベルを剥がして再利用も可能ではあるが、当該剥離用テープにより隠蔽ラベルを剥離させるためには使用される接着剤が少なくとも隠蔽ラベルのハガキに対する接着力より強い接着力が必要であり、当該剥離用テープより隠蔽ラベルを剥がすための処理工程を別に設けなければならず、コスト高を招くという問題がある。
【０００８】
そこで、本発明は上記課題に鑑みなされたもので、ラベル貼付後の剥離に際して必要以上のゴミ発生を防止し、コスト増加を抑制する隠蔽ラベルを提供することを目的とする。
【課題を解決するための手段】
【０００９】
上記課題を解決するために、請求項１の発明では、ラベル基材裏面の所定領域に接着剤が塗布されるものであり、所定のシートに表示された秘匿情報上に隠蔽のために貼付され、後に当該シートより剥離されて当該秘匿情報を視認可能とする隠蔽ラベルであって、  前記ラベル基材の所定位置に、前記剥離時にエアを吹き込むための剥離補助孔を備え、前記ラベル基材の裏面において前記剥離補助孔の少なくとも周辺の全部または一部を、少なくとも前記接着剤による接着力より小の剥離補助領域とする構成とする。
【００１０】
請求項２、３の発明では、「前記剥離補助孔は、貼付対象の前記シートの秘匿情報上への貼付に際して、当該秘匿情報以外の部分に位置されるべく形成される」構成であり、
「前記ラベル基材の所定位置に、前記剥離補助孔より小のエア抜き孔を所定数備え、前記基材の裏面において当該エア抜き孔と当該剥離補助孔との間を、少なくとも前記接着剤による接着力より小の剥離補助領域とする」構成である。
【発明の効果】
【００１１】
請求項１の発明によれば、隠蔽ラベルのラベル基材の所定位置に剥離時にエアを吹き込むための剥離補助孔を備え、当該ラベル基材の接着剤が塗布される裏面において剥離補助孔の少なくとも周辺の全部または一部を、少なくとも上記接着剤による接着力より小の剥離補助領域とすることにより、ラベル貼付後の剥離に際して他の部材を使用させないことから必要以上のゴミ発生を防止することができると共に、コスト増加を抑制することができるものである。
【００１２】
請求項２の発明によれば、剥離補助孔を、貼付対象のシートの秘匿情報上への貼付に際して、当該秘匿情報以外の部分に位置されるべく形成させることにより、孔径を最大限で形成することが可能となってラベル剥離時のエア吹き付けによる剥離性を向上させることができるものである。
【００１３】
請求項３の発明によれば、ラベル基材の所定位置に剥離補助孔より小のエア抜き孔が所定数備えられ、当該ラベル基材の接着剤が塗布される裏面において当該エア抜き孔と当該剥離補助孔との間を、少なくとも上記接着剤による接着力より小の剥離補助領域とすることにより、ラベル剥離時のエア吹き付けによる剥離性を向上させることができるものである。
【発明を実施するための最良の形態】
【００１４】
以下、本発明の最良の実施形態を図により説明する。本実施形態では、本発明の隠蔽ラベルを貼付する対象のシートとしてハガキの場合を示すが、例えば宅配業者がハガキと同様に取り扱う連絡用の配送シートや伝票等においても適用することができるものである。
【００１５】
図１に、本発明に係る隠蔽ラベルの構成図を示す。図１(Ａ）、（Ｂ）において、隠蔽ラベル１１は、紙類、フィルム、不織布等の可撓性部材のラベル基材１２の、例えば下方一辺側に、剥離時のエア吹き付けのための剥離補助孔１３が形成される。当該ラベル基材１２は、隠蔽の機能を有するものとして、非透過性の部材が使用され、または適宜透過防止のコーティングや印刷が施されたものである。
【００１６】
また、ラベル基材１２の表面１４Ａには、適宜所望の文字、情報が印字され、裏面１４Ｂに接着剤１６が適宜設計された領域上に塗布されるが、剥離補助孔１３の少なくとも周辺の全部または一部（ここでは全部とする）を、少なくとも当該接着剤１６による接着力より小の剥離補助領域１５とされる。
【００１７】
当該剥離補助領域１５は、周囲の接着剤１６より接着力を小とした別の接着剤を塗布した領域、または接着剤１６と同じ接着剤を塗布して当該接着剤上に接着力を弱める若しくは接着力を零とするインキ等の印刷を施した領域、または接着剤を塗布しない領域を含むもので、本実施形態では接着剤を塗布しない領域として説明する。なお、剥離補助領域１５は、剥離補助孔１３の周辺の一部であっても、後述のエア吹き付けの圧力等に応じて剥離を促すことができるものである。
【００１８】
上記接着剤１６としては、人手によるような低圧力で接着可能な感圧接着剤や、従前よりラベルに使用されている接着剤（比較的強い接着力）が使用可能であるが、後の剥離性を考慮した接着力で適宜設定され、これらを考慮して接着剤塗布領域も適宜設定されるものである。
【００１９】
このような隠蔽ラベル１１は、図１（Ｃ）に示すように、従前より知られている離型剤がコーティングされた離型紙１７上に一時的に貼り付けられて、例えば後述の返送用のハガキと共に所定の顧客等に送付されるものである。
【００２０】
そして、図２に、図１の隠蔽ラベルをハガキに貼付した場合の説明図を示す。図２（Ａ）、（Ｂ）に示すシートであるハガキ２１は、例えば所定の顧客等より当該顧客に関する重要な情報を記載、表示させて返送させるためのもので、例えば表面を宛名面２２とし、裏面を情報表示面２３とする。情報表示面２３には、非秘匿情報２４と秘匿情報表示領域２５の秘匿情報２６とが表示される。すなわち、当該秘匿領域２５上に上記顧客等により秘匿情報２６を記載、表示されたものである。なお、上記秘匿情報表示領域２５を宛名面２２の下方に形成させることとしてもよい。
【００２１】
そこで、図２（Ｂ）、（Ｃ）に示すように、顧客等が秘匿情報表示領域２５上に記載、表示された秘匿情報２６上に隠蔽ラベル１１を貼付することで当該秘匿情報２６が隠蔽され、この状態で投函される。そして、当該ハガキ２１を受け取った側が、以下に示す隠蔽ラベル剥離システムにより当該隠蔽ラベル１１を剥離させるものである。
【００２２】
なお、隠蔽ラベル１１の剥離補助孔１３は、秘匿情報２６上への貼付に際して、当該秘匿情報以外の部分に位置されるべく形成されるもので、これにより、当該剥離補助教１３の孔径を最大限で形成すること可能となってラベル剥離時のエア吹き付けによる剥離性を向上させることができるものである。一方、剥離補助孔１３の位置させる領域が秘匿情報２６上以外に確保できない場合には、当該孔によって秘匿情報が判読不能な孔径として当該秘匿情報２５上に位置されるように形成してもよい。
【００２３】
次に、図３に、隠蔽ラベル剥離システムの構成図を示す。図３（Ａ）は隠蔽ラベル剥離システムの概念斜視図、図３（Ｂ）はその概念側面図、図３（Ｃ）は吸引ローラの斜視説明図である。図３（Ａ）、（Ｂ）において、隠蔽ラベル剥離システム３１は、後述の吸引ローラ３２の周辺に２つの搬送ローラ３３，３４が配置され、当該搬送ローラ３３，３４の間部分に可動自在な３つのノズルが所定間隔で配置される。
【００２４】
上記３つのノズルのうち、中央に噴射ノズル３５が配置され、当該噴射ノズル３５の両側（破線の隠蔽ラベル１１の幅方向）に吸引ノズル３６，３７が配置される。当該噴射ノズル３５は図示しないコンプレッサ等のエア噴射手段に連結され、吸引ノズル３６，３７は図示しないコンプレッサ等の吸引手段に連結される。上記噴射ノズル３５および吸引ノズル３６，３７は、吸引ローラ３２の中心方向に対して可動自在であると共に、当該吸引ローラ３２より離れる方向に揺動自在である。これらノズル駆動機構は従前の機構を組み合わせて採用することができ、図示を省略する。
【００２５】
また、吸引ローラ３２および搬送ローラ３３の搬送前段には一対の搬送ローラ３８，３９が配置され、当該搬送ローラ３３と搬送ローラ３８，３９との間に適宜搬送補助台４０が設けられものである。
【００２６】
ここで、吸引ローラ３２は、図３（Ｃ）に示すように、固定内筒４１とこれを内包する回転外筒４２とで形成され、当該回転外筒４２の全面に吸引孔４３が形成されている。固定内筒４１は、上記搬送ローラ３３，３４の配置間に対応する部分が開口されており、回転外筒４２が回転しても固定状態とされるものである。そして、回転外筒４２の両端であって、回転中心となる部分に回転軸４４が設けられ、一方が当該固定内筒４１の内部空間と連通するパイプ形態であり、図示しないコンプレッサ等の吸引手段に回転自在に連通されるものである。
【００２７】
すなわち、隠蔽ラベル剥離システム３１は、隠蔽ラベル１１が貼付されたハガキ２１が搬送ローラ３８，３９より搬送補助台４０上を通って搬送され、搬送ローラ３３，３４と共に吸引ローラ３２の回転外筒４２が回転（固定内筒４１は回転せずにそのままの状態）することで、当該搬送ローラ３３，３４間でのみ吸引孔４３より吸引されて、当該部分の吸引ローラ３２（回転外筒４２）表面上に固定状態とされるものである。なお、上記隠蔽ラベル１１が貼付されたハガキ２１を搬送するにあたって、特に、隠蔽ラベル１１が搬送ローラ３３，３４間に位置されたことを検出するセンサが設けられるが、ここでは図示しない。
【００２８】
そこで、図４に図３のシステムによる隠蔽ラベル剥離の説明図を示すと共に、図５に隠蔽ラベルの剥離過程の説明図を示す。なお、図５は、図１（Ａ）のＡ−Ａ断面図を示したものである。図４（Ａ）の隠蔽ラベル剥離システム３１において、搬送ローラ３８，３９により隠蔽ラベル１１が貼付されたハガキ２１が搬送補助台４０上を通って搬送され、さらに吸引ローラ３２と搬送ローラ３３とによって搬送される。このとき、当該吸引ローラ３２（回転外筒４２の吸引孔４３）によって吸引されて搬送ローラ３４まで導かれる。
【００２９】
そして、図４（Ｂ）に示すように、ハガキ２１に貼付された隠蔽ラベル１１の剥離補助孔１３が、吸引ローラ３２上の搬送ローラ３３，３４間であって上記噴射ノズル３５および吸引ノズル３６，３７の可動当接位置に位置されたときに（上記図示しないセンサによって検出）、一旦回転が停止され、このときに当該噴射ノズル３５および吸引ノズル３６，３７が吸引ローラ３２側に可動する。
【００３０】
すなわち、図５（Ａ）、（Ｂ）に示すように、噴射ノズル３５および吸引ノズル３６，３７は吸引ローラ３２に対して離間した位置にあり、隠蔽ラベル１１の先端部分（剥離補助孔１３の部分）が位置されて搬送が停止したときに当該噴射ノズル３５および吸引ノズル３６，３７が吸引ローラ３２側に可動されて隠蔽ラベル１１上に当接される。この場合、噴射ノズル３５は剥離補助孔１３を覆う状態で当接する。
【００３１】
続いて、図５（Ｃ）に示すように、吸引ノズル３６，３７が隠蔽ラベル１１の剥離補助孔１３の両側を吸引固定し、噴射ノズル３５が剥離補助孔１３にエアを所定圧力で吹き付ける。すなわち、吹き付けられたエアは当該剥離補助孔１３の周辺の上述の剥離補助領域１５から境界の接着剤１６に剥がす圧力となって作用し、当該部分の接着剤１６が剥離されるまで作用し続ける。なお、時間的には瞬時に作用して剥離させる。
【００３２】
上記隠蔽ラベル１１の剥離補助孔１３に対して噴射ノズル３５によりエアを吹き付けるとほぼ同時期に吸引ローラ３２および搬送ローラ３３，３４を回転させ、当該噴射ノズル３５および吸引ノズル３６，３７を吸引ローラ３２より直線的に離間する方向に可動させるもので、図５（Ｄ）に示すように一部分の接着剤１６が剥離する。当該部分が一旦剥離すると、当該吸引ローラ３２の円弧形状が作用し、送りによって徐々に接着剤１６が剥離されていく。
【００３３】
このとき、図４（Ｃ）に示すように、隠蔽ラベル１１を吸着した吸引ノズル３６，３７が当該吸引ローラ３２より離間する方向に揺動させることによって、当該隠蔽ラベル１１を以降の接着部分で徐々に剥離していくものである。剥離した隠蔽ラベル１１は所定の廃棄場所に排出され、ハガキ２１は吸引ローラ３２および搬送ローラ３４によって搬送、排出されるものである。
【００３４】
このように、隠蔽ラベル１１の剥離に際して従前のような剥離テープ等を使用しないことから必要以上のゴミ発生を防止することができ、また当該剥離テープ等の他の部材を使用しないことでコスト増加を抑制することができるものである。また、剥離補助孔１３を、貼付対象のハガキ２１の秘匿情報２６上への貼付に際して、当該秘匿情報以外の部分に位置されるべく形成させることから、当該孔径を最大限で形成することが可能となってラベル剥離時のエア吹き付けによる剥離性を向上させることができるものである。なお、上記実施形態において隠蔽ラベル１１を剥離するにあたり、剥離補助孔１３にエアを吹き付けることを示したが、エアは、空気に限らず何れの気体でもよい。
【００３５】
次に、図６および図７に、本発明に係る隠蔽ラベルの他の構成図を示す。図６および図７に示す隠蔽ラベル１１は、ラベル基材１２の所定位置に、剥離補助孔１３より小のエア抜き孔５１，５２Ａ，５２Ｂを所定数備えさせ、当該ラベル基材１２の裏面において当該エア抜き孔５１，５２Ａ，５２Ｂと当該剥離補助孔１３との間を、少なくとも接着剤１６による接着力より小の上述のような剥離補助領域１５とするものである。なお、エア抜き孔５１，５２Ａ，５２Ｂの個数は、この実施形態にかぎらず適宜形成することができるものである。
【００３６】
すなわち、図６（Ａ）、（Ｂ）において、ラベル基材１２における剥離補助孔１３より中央部分側に単一のエア抜き孔５１を形成したもので、当該剥離補助孔１３の周辺（ここでは全部）を上記剥離補助領域１５とすると共に、当該剥離補助孔１３より当該エア抜き孔５１までを上記剥離補助領域１５としたものである。このような隠蔽ラベル１１を剥離する場合に際して、上記図５（Ｃ）のように剥離補助孔１３に噴射ノズル３５よりエアを吹き付けエア抜き孔５１までの剥離補助領域１５の接着剤１６との境界より当該接着剤１６を剥離させていくものである。すなわち、エア抜き孔５１までの接着剤１６が剥がれやすくなり、剥離性を向上させることができるものである。
【００３７】
また、図７（Ａ）、（Ｂ）において、ラベル基材１２における剥離補助孔１３より縁端側の両側にそれぞれエア抜き孔５２Ａ，５２Ｂを形成したもので、当該剥離補助孔１３の周辺（ここでは全部）を、少なくとも接着剤１６による接着力より小の上述のような剥離補助領域１５とすると共に、当該剥離補助孔１３より当該各エア抜き孔５２Ａ，５２Ｂまでを同様の剥離補助領域１５としたものである。このような隠蔽ラベル１１を剥離する場合に際して、上記図５（Ｃ）のように剥離補助孔１３に噴射ノズル３５よりエアを吹き付け、エア抜き孔５２Ａ，５２Ｂまでの剥離補助領域１５の接着剤１６との境界より当該接着剤１６を剥離させていくもので、上記同様に、エア抜き孔５２Ａ，５２Ｂまでの接着剤１６が剥がれやすくなり、剥離性を向上させることができるものである。
【産業上の利用可能性】
【００３８】
本発明の隠蔽ラベルは、秘匿情報を秘匿させるために貼付されたハガキ等のシートを受け取った後に機械的に剥離させる場合に適する。
【図面の簡単な説明】
【００３９】
【図１】本発明に係る隠蔽ラベルの構成図である。
【図２】図１の隠蔽ラベルをハガキに貼付した場合の説明図である。
【図３】隠蔽ラベル剥離システムの構成図である。
【図４】図３のシステムによる隠蔽ラベル剥離の説明図である。
【図５】隠蔽ラベルの剥離過程の説明図である。
【図６】本発明に係る隠蔽ラベルの他の構成図（１）である。
【図７】本発明に係る隠蔽ラベルの他の構成図（２）である。
【符号の説明】
【００４０】
１１            隠蔽ラベル
１２            ラベル基材
１３            剥離補助孔
１４Ａ          ラベル表面
１４Ｂ          ラベル裏面（接着剤塗布面）
１５            剥離補助領域
１６            接着剤
２１            ハガキ
２３            情報表示面
２５            秘匿情報表示領域
２６            秘匿情報
３１            隠蔽ラベル剥離システム
３２            吸引ローラ
３５            噴射ノズル
３６，３７      吸引ノズル
５１，５２      エア抜き孔
【図１】
2006346996.tif 000003
【図２】
2006346996.tif 000004
【図３】
2006346996.tif 000005
【図４】
2006346996.tif 000006
【図５】
2006346996.tif 000007
【図６】
2006346996.tif 000008
【図７】
2006346996.tif 000009